(57)【特許請求の範囲】
【請求項１】
第１プロジェクター及び第２プロジェクターを積層配置するように支持する支持具であって、
前記第１プロジェクターが固定される第１固定部、及び前記第１固定部に接続される第１接続部を有する第１支持部材と、
前記第２プロジェクターが固定される第２固定部、及び前記第２固定部に接続される第２接続部を有する第２支持部材と、
外周にネジ溝が形成された軸部、及び前記軸部の一端側に設けられた頭部を有し、前記第１接続部と前記頭部とで前記第２接続部を挟持可能な取付ネジと、を備え、
前記第１接続部には、
前記取付ネジが螺合される取付用孔が形成され、
前記第２接続部には、
前記第１接続部と前記第２接続部とが前記取付ネジによって組み合わさった際に前記取付用孔に対向し、前記取付用孔に螺合する前記取付ネジが挿通する円孔状の挿通用孔と、
外縁から延出して前記挿通用孔と連通するスリットと、が形成され、
前記取付ネジは、
前記軸部及び前記頭部の間に設けられ、前記軸部から前記頭部に向うにしたがって断面積が大きく、前記挿通用孔の内縁上を摺動可能なテーパー部を備える
ことを特徴とする支持具。
【請求項２】
請求項１に記載の支持具において、
前記取付ネジは、
前記テーパー部及び前記頭部の間に設けられ、前記挿通用孔に嵌合する嵌合部を備える
ことを特徴とする支持具。
【請求項３】
請求項１または請求項２に記載の支持具において、
前記挿通用孔は、
前記挿通用孔及び前記スリットを平面的に見て、前記スリットを前記スリットの延びる方向に沿って仮想的に延長させた仮想領域の外側に一部がはみ出た形状を有する
ことを特徴とする支持具。
【請求項４】
請求項３に記載の支持具において、
前記挿通用孔は、
前記挿通用孔を平面的に見た場合での前記挿通用孔の接線が前記スリットの各縁のうちいずれか一方に一致するように形成されている
ことを特徴とする支持具。
【請求項５】
請求項３または請求項４に記載の支持具において、
前記第１接続部及び前記第２接続部は、
鉛直方向に沿って延びるように形成され、
前記スリットは、
前記第１固定部及び前記第２固定部に固定された前記第１プロジェクター及び前記第２プロジェクターの天面が底面に対して上方側に位置する姿勢で、前記第２接続部の外縁から前記挿通用孔に向うにしたがって下方側に傾斜した形状を有し、
前記挿通用孔は、前記姿勢において、前記仮想領域の上方側にはみ出た形状を有している
ことを特徴とする支持具。
【請求項６】
第１プロジェクターと、第２プロジェクターと、請求項１から請求項５のいずれかに記載の支持具とを備える
ことを特徴とするプロジェクションシステム。
【発明の詳細な説明】
【技術分野】
【０００１】
本発明は、支持具、及びプロジェクションシステムに関する。
【背景技術】
【０００２】
従来、複数のプロジェクターを用いた映像表示システム（プロジェクションシステム）が知られている（例えば、特許文献１参照）。
特許文献１に記載のプロジェクションシステムでは、複数のプロジェクターから投射された各画像をスクリーン上で重ね合わせることで、スクリーン上に投射画像を表示するスタック投射方式が採用されている。
そして、このようなスタック投射方式を採用することで、１つのプロジェクターのみを用いた場合と比較して、スクリーン上に明るさを向上させた投射画像を表示させることや、立体画像や２種類の画像の観察が可能な投射画像を表示させることができる。
【先行技術文献】
【特許文献】
【０００３】
【特許文献１】特開２０１１−３３８０５号公報
【発明の概要】
【発明が解決しようとする課題】
【０００４】
ところで、スタック投射方式では、上述したように、複数のプロジェクターから投射された各画像をスクリーン上で重ね合わせる必要がある。
このため、プロジェクションシステムを構築する際には、複数のプロジェクター間の相対的な位置関係が重要となる。
例えば、第１，第２プロジェクターの２台を用いた場合には、スクリーン上で第１，第２プロジェクターから投射された各画像が重なり合うように、第１，第２プロジェクターの姿勢を適宜、変更する必要がある。
すなわち、第１，第２プロジェクターの姿勢を適宜、変更する作業が必要であるため、プロジェクションシステムを構築することが難しい、という問題がある。
【０００５】
本発明の目的は、プロジェクションシステムを容易に構築することができる支持具、及びプロジェクションシステムを提供することにある。
【課題を解決するための手段】
【０００６】
本発明の支持具は、第１プロジェクター及び第２プロジェクターを積層配置するように支持する支持具であって、前記第１プロジェクターが固定される第１固定部、及び前記第１固定部に接続される第１接続部を有する第１支持部材と、前記第２プロジェクターが固定される第２固定部、及び前記第２固定部に接続される第２接続部を有する第２支持部材と、外周にネジ溝が形成された軸部、及び前記軸部の一端側に設けられた頭部を有し、前記第１接続部と前記頭部とで前記第２接続部を挟持可能な取付ネジと、を備え、前記第１接続部には、前記取付ネジが螺合される取付用孔が形成され、前記第２接続部には、前記第１接続部と前記第２接続部とが前記取付ネジによって組み合わさった際に前記取付用孔に対向し、前記取付用孔に螺合する前記取付ネジが挿通する円孔状の挿通用孔と、外縁から延出して前記挿通用孔と連通するスリットと、が形成され、前記取付ネジは、前記軸部及び前記頭部の間に設けられ、前記軸部から前記頭部に向うにしたがって断面積が大きく、前記挿通用孔の内縁上を摺動可能なテーパー部を備えることを特徴とする。
【０００７】
本発明では、支持具は、上述した第１，第２支持部材及び取付ネジを備える。
このことにより、第１，第２プロジェクターを第１，第２固定部に固定し、第１，第２接続部同士を取付ネジにて取り付ければ、取付ネジの頭部と第１接続部とで第２接続部を挟持し、第１，第２プロジェクター間の相対的な位置関係を容易に規定できる。
したがって、第１，第２プロジェクターを備えたプロジェクションシステムを構築する際に、上述した支持具を用いれば、プロジェクションシステムを容易に構築することができる。
【０００８】
また、第２接続部には、上述した挿通用孔及びスリットが形成され、取付ネジには、テーパー部が設けられている。
このことにより、第１，第２プロジェクターが第１，第２支持部材に固定された状態で、以下に示すように、第２支持部材に対して第１支持部材を取り付けることができる。
先ず、利用者は、取付用孔に対して取付ネジを緩めた状態で螺合しておく（第１工程）。
次に、利用者は、第１支持部材（第１プロジェクター）を手で持ち、第２支持部材に第１支持部材を近付け、取付ネジの軸部を第２接続部の外縁におけるスリットの形成位置に合わせる（第２工程）。
【０００９】
また、利用者は、挿通用孔に対して取付用孔が対向するまで、スリットに沿って第１支持部材（軸部）を移動させ、軸部を挿通用孔内に位置付ける（第３工程）。
そして、利用者は、取付用孔に対して取付ネジを締め付けることで、挿通用孔の内縁上でテーパー部を摺動させ、挿通用孔内における所望の位置（挿通用孔の中心位置と取付ネジの中心線とが合致する位置）に取付ネジを位置付けることができる。そして、軸部が螺合した第１接続部と取付ネジの頭部との間で第２接続部が挟持される（第４工程）。すなわち、第２支持部材に対して第１支持部材が取り付けられる。
以上のような第１〜第４工程により、取付用孔に対して取付ネジを予め取り付けた状態で、第２支持部材に対して第１支持部材を取り付けることができるので、支持具を容易に組み立てることができる。
そして、第２支持部材に対する所望の位置に第１支持部材を位置付けることができ、第１，第２プロジェクター間の相対的な位置関係を良好に規定することができる。
【００１０】
本発明の支持具では、前記取付ネジは、前記テーパー部及び前記頭部の間に設けられ、前記挿通用孔に嵌合する嵌合部を備えることが好ましい。
本発明では、取付ネジは、上述した嵌合部を備える。
すなわち、上述した第４工程により、取付用孔に対して取付ネジをさらに締め付けることで、挿通用孔に嵌合部を嵌合させることができる。
そして、挿通用孔に嵌合部が嵌合した状態で、第２支持部材に対して第１支持部材が取り付けられるので、第２支持部材に対して第１支持部材ががたつくことがなく、第２支持部材に対する第１支持部材の取付状態を安定化させることができる。
【００１１】
本発明の支持具では、前記挿通用孔は、前記挿通用孔及び前記スリットを平面的に見て、前記スリットを前記スリットの延びる方向に沿って仮想的に延長させた仮想領域の外側に一部がはみ出た形状を有することが好ましい。
本発明では、挿通用孔は、当該挿通用孔及びスリットを平面的に見た場合に、上述した仮想領域の外側に一部がはみ出た形状を有する。
このため、上述した第３工程により軸部を挿通用孔内に位置付けた場合には、挿通用孔における上述した仮想領域の外側にはみ出た部分により、挿通用孔内からスリット内への軸部（第１支持部材）の移動を規制することができる。
したがって、第２支持部材が種々の姿勢で設置されている状態であっても、上述した第３工程により取付ネジを一旦、挿通用孔内に位置付ければ第１支持部材の移動を規制できるので、利用者は、取付ネジが挿通用孔内に位置した状態を維持するように力を加える必要がない。すなわち、支持具をさらに容易に組み立てることができる。
【００１２】
本発明の支持具では、前記挿通用孔は、前記挿通用孔を平面的に見た場合での前記挿通用孔の接線が前記スリットの各縁のいずれか一方に一致するように形成されていることが好ましい。
ところで、円孔で構成された挿通用孔において、当該挿通用孔及びスリットを平面的に見た場合に、上述した仮想領域の外側に一部がはみ出た形状としては、例えば、以下の形状が考えられる。
すなわち、第１の形状としては、当該挿通用孔及びスリットを平面的に見た場合に、上述した仮想領域を挟む両側にそれぞれはみ出た部分を有する形状が考えられる。
また、第２の形状としては、当該挿通用孔及びスリットを平面的に見た場合に、上述した仮想領域を挟む両側のうち片側のみにはみ出た部分を有する形状が考えられる。
【００１３】
ここで、第１の形状を有する挿通用孔における上述した２つのはみ出た部分のうち当該部分の領域が大きい方と、第２の形状を有する挿通用孔における上述した１つのはみ出た部分とを比較する。
この場合、第１の形状を有する挿通用孔と、第２の形状を有する挿通用孔とで内径寸法が同一であれば、第２の形状を有する挿通用孔の方が上述したはみ出た部分の領域が大きいものとなる。
【００１４】
そして、本発明では、円孔で構成された挿通用孔は、当該挿通用孔を平面的に見た場合での挿通用孔の接線がスリットの各縁のいずれか一方に一致するように形成されている。言い換えれば、挿通用孔は、第２の形状を有する。
このことにより、第２の形状を有するように形成された挿通用孔は、第１の形状を有するように挿通用孔を形成した場合と比較して、上述したはみ出た部分の領域を大きく設定できる。
したがって、上述した第３工程により軸部を挿通用孔内に位置付けた際に、挿通用孔における上述したはみ出た部分により、挿通用孔内からスリット内への軸部（第１支持部材）の移動をより確実に規制することができる。
【００１５】
本発明の支持具では、前記第１接続部及び前記第２接続部は、鉛直方向に沿って延びるように形成され、前記スリットは、前記第１固定部及び前記第２固定部に固定された前記第１プロジェクター及び前記第２プロジェクターの天面が底面に対して上方側に位置する姿勢で、前記第２接続部の外縁から前記挿通用孔に向うにしたがって下方側に傾斜した形状を有し、前記挿通用孔は、前記姿勢において、前記仮想領域の上方側にはみ出た形状を有していることが好ましい。
【００１６】
ところで、プロジェクションシステムを構築する際、第１，第２プロジェクターが固定された支持具を床等に設置する場合（以下、正置き設置）と、当該支持具を天井等に吊下げて設置する場合（以下、天吊り設置）とが考えられる。
ここで、正置き設置の場合には、支持具に固定された第１，第２プロジェクターは、天面が底面に対して上方側に位置する姿勢となる。
一方、天吊り設置の場合には、支持具に固定された第１，第２プロジェクターは、正置き設置の場合とは逆に、天面が底面に対して下方側に位置する姿勢となる。
【００１７】
本発明では、スリットは、正置き設置の場合に、第２接続部の外縁から挿通用孔に向うにしたがって下方側に傾斜した形状を有する。
このため、正置き設置の場合には、上述した第２，第３工程を以下に示すように実施することができる。
すなわち、利用者は、第２工程において、第１支持部材（第１プロジェクター）を手で持ち、床等に設置された第２支持部材（第２プロジェクター）の上方側から第１支持部材
を第２支持部材に近付ける。そして、利用者は、取付ネジの軸部を第２接続部の外縁におけるスリットの形成位置に合わせる。
また、利用者は、第３工程において、挿通用孔に対して取付用孔が対向するまで、スリットの傾斜方向に沿って上方側から下方側に向けて第１支持部材（軸部）を移動させ、軸部を挿通用孔内に位置付ける。
そして、上述した第３工程により軸部を挿通用孔内に位置付けた場合には、スリットが第２接続部の外縁から挿通用孔に向うにしたがって下方側に傾斜しているので、第１支持部材及びプロジェクターの自重により、挿通用孔内からスリット内への軸部（第１支持部材）の移動を規制することが可能となる。
【００１８】
一方、天吊り設置の場合には、上述した第２，第３工程を以下に示すように実施することができる。
すなわち、利用者は、第２工程において、第１支持部材（第１プロジェクター）を手で持ち、天井等に吊下げられた第２支持部材（第２プロジェクター）の下方側から第１支持部材を第２支持部材に近付ける。そして、利用者は、取付ネジの軸部を第２接続部の外縁におけるスリットの形成位置に合わせる。
また、利用者は、第３工程において、挿通用孔に対して取付用孔が対向するまで、スリットの傾斜方向に沿って下方側から上方側に向けて第１支持部材（軸部）を移動させ、軸部を挿通用孔内に位置付ける。
そして、挿通用孔は、正置き設置において、仮想領域の上方側にはみ出た形状を有している。つまり、挿通用孔は、天吊り設置において、仮想領域の下方側にはみ出た形状を有することとなるので、軸部を挿通用孔内に位置付けた場合には、第１支持部材及びプロジェクターの自重により、挿通用孔内からスリット内への軸部（第１支持部材）の移動を規制することが可能となる。
【００１９】
以上のように、スリットの傾斜方向及び挿通用孔を上述したように設定することで、正置き設置及び天吊り設置の双方において、第２支持部材に対して第１支持部材を容易に組み込む（第３工程）ことができ、かつ、挿通用孔内からスリット内への軸部（第１支持部材）の移動も良好に規制することが可能となる。
【００２０】
本発明のプロジェクションシステムは、第１プロジェクターと、第２プロジェクターと、上述した支持具とを備えることを特徴とする。
本発明では、プロジェクションシステムは、上述した支持具を備えるので、上述した支持具と同様の作用及び効果を享受できる。
【図面の簡単な説明】
【００２１】
【図１】本実施形態におけるプロジェクションシステムの使用形態を示す斜視図。
【図２】本実施形態における支持具の構成を示す図。
【図３】本実施形態における支持具の構成を示す図。
【図４】図３の一部を拡大した図。
【図５】本実施形態における取付ネジの構成を示す図。
【図６】本実施形態における支持具の組立方法を説明するフローチャート。
【図７】本実施形態における正置き設置の場合での支持具の組立方法を説明する図。
【図８】本実施形態における正置き設置の場合での支持具の組立方法を説明する図。
【図９】本実施形態における正置き設置の場合での支持具の組立方法を説明する図。
【図１０】本実施形態における正置き設置の場合での支持具の組立方法を説明する図。
【図１１】本実施形態における天吊り設置の場合での支持具の組立方法を説明する図。
【図１２】本実施形態における天吊り設置の場合での支持具の組立方法を説明する図。
【発明を実施するための形態】
【００２２】
以下、本発明の一実施形態を図面に基づいて説明する。
〔プロジェクションシステムの構成〕
図１は、本実施形態におけるプロジェクションシステム１の使用形態を示す斜視図である。
本実施形態では、プロジェクションシステム１は、反射型のスクリーンＳｃ（図１）上に投射画像ＰＦ（図１）を表示するとともに、観察者に投射画像ＰＦを立体視させる３Ｄプロジェクションシステムで構成されている。
そして、プロジェクションシステム１は、図１に示すように、第１プロジェクター２Ｕと、第２プロジェクター２Ｄと、偏光眼鏡３と、支持具４（図２，図３参照）とを備える。
【００２３】
〔第１，第２プロジェクターの構成〕
第１プロジェクター２Ｕは、左目用画像を形成して、当該左目用画像を所定の直線偏光（以下、第１直線偏光）でスクリーンＳｃ上に投射する。
第２プロジェクター２Ｄは、右目用画像を形成して、当該右目用画像を第１直線偏光に対して偏光方向が直交する第２直線偏光でスクリーンＳｃ上に投射する。
そして、スクリーンＳｃ上には、左目用画像と右目用画像とが互いに重ね合わされた投射画像ＰＦが表示される。
【００２４】
以上説明した第１，第２プロジェクター２Ｕ，２Ｄは、同一の構成を有する。
このため、以下では、第１プロジェクター２Ｕの構成を主に説明し、第２プロジェクター２Ｄについては、第１プロジェクター２Ｕと同一の符号を付して説明を省略する。
第１プロジェクター２Ｕは、図１に示すように、外装を構成する外装筐体２１と、外装筐体２１内部に収納される光学ユニット２２（図２参照）等を備える。
外装筐体２１は、図１に示すように、床や机上等に設置される正置き設置の場合に上方側に位置する天面２１Ａ、及び下方側に位置する底面２１Ｂと、投射側に位置する前面２１Ｃと、投射側とは反対側に位置する背面２１Ｄと、側方に位置する各側面２１Ｅ，２１Ｆとを有する略直方体形状を有する。
光学ユニット２２は、光源装置と、液晶パネル等の光変調装置と、投射レンズ２２１（図２参照）とを備える。そして、光源装置から出射された光束は、光変調装置にて変調され、投射レンズ２２１からスクリーンＳｃに投射される。
【００２５】
〔偏光眼鏡の構成〕
偏光眼鏡３は、観察者が装着するものであり、図１に示すように、左目用透過部３１と、右目用透過部３２とを備える。
左目用透過部３１は、透過軸が第１直線偏光の偏光方向と同一方向となる偏光レンズで構成されている。
右目用透過部３２は、透過軸が第２直線偏光の偏光方向と同一方向となる偏光レンズで構成されている。
【００２６】
以上の構成によって、プロジェクションシステム１では、スクリーンＳｃ上の投射画像ＰＦに含まれる左目用画像は、左目用透過部３１を通して、観察者の左目のみで視認される。また、投射画像ＰＦに含まれる右目用画像は、右目用透過部３２を通して、観察者の右目のみで視認される。
このため、観察者は、スクリーンＳｃ上の投射画像ＰＦを視差により立体視する。
【００２７】
〔支持具の構成〕
図２及び図３は、支持具４の構成を示す図である。具体的に、図２は、第１，第２プロジェクター２Ｕ，２Ｄが支持具４に支持された状態を前方側（投射側）から見た斜視図である。図３は、分解された支持具４を側方から見た図である。
支持具４は、第１，第２プロジェクター２Ｕ，２Ｄを積層配置するように支持する。
具体的に、支持具４は、図２に示すように、第２プロジェクター２Ｄの天面２１Ａ側に第１プロジェクター２Ｕが配置され、第１，第２プロジェクター２Ｕ，２Ｄの投射レンズ２２１が同一側を向くように第１，第２プロジェクター２Ｕ，２Ｄを支持する。
支持具４は、床や机上等に設置される正置き設置（第１，第２プロジェクター２Ｕ，２Ｄの天面２１Ａが底面２１Ｂに対して上方側に位置し、第１プロジェクター２Ｕが第２プロジェクター２Ｄの上方側に位置する姿勢）、及び正置き設置に対して上下が反転され、天井等に設置される天吊り設置が可能に構成されている。なお、図２及び図３は、正置き姿勢の場合を図示したものである。
また、以下では、説明の便宜上、第２プロジェクター２Ｄからの画像の投射方向をＺ軸（投射方向を＋、投射方向の逆方向を−）、当該Ｚ軸に直交する水平軸をＸ軸、当該Ｚ軸に直交する鉛直軸をＹ軸（上方側を＋、下方側を−）とする（図２，図３）。
【００２８】
支持具４は、図２または図３に示すように、第１支持部材５と、第２支持部材６と、一対の取付ネジ７（図２）と、一対の位置決め用ネジ８（図２）とを備える。
なお、図３では、説明の便宜上、一対の取付ネジ７及び一対の位置決め用ネジ８の図示を省略している。
【００２９】
〔第１支持部材の構成〕
第１支持部材５は、第１プロジェクター２Ｕを支持する部材である。
この第１支持部材５は、図２または図３に示すように、第１固定部５１と、一対の第１接続部５２Ａ，５２Ｂとを備える。
第１固定部５１は、第１プロジェクター２Ｕの底面２１Ｂと略同一のサイズを有する矩形状の板体で構成されている。
そして、第１プロジェクター２Ｕ（底面２１Ｂ）は、第１固定部５１の板面（図２または図３中の上面）にネジ（図示略）により固定される。
【００３０】
一対の第１接続部５２Ａ，５２Ｂは、第１固定部５１におけるＸ軸方向に沿って互いに対向する各端縁にそれぞれ接続し、当該各端縁から、図２または図３中、下方側に向けて垂設された板体で構成されている。
より具体的に、一対の第１接続部５２Ａ，５２Ｂは、図２または図３に示すように、ＹＺ平面に平行となる板体で構成されている。
なお、一対の第１接続部５２Ａ，５２Ｂは、同様の機能（後述する取付用孔５２１及び位置決め用ネジ孔５２２Ａ〜５２２Ｄ）を有するものであるため、以下では、図２中、右側に位置する第１接続部５２Ａを主に説明する。
【００３１】
第１接続部５２Ａには、図３に示すように、Ｘ軸方向に沿って貫通し、取付ネジ７が螺合される取付用孔５２１が形成されている。
なお、一対の第１接続部５２Ａ，５２Ｂに形成された各取付用孔５２１は、具体的な図示は省略したが、Ｘ軸方向に沿って互いに対向する位置に形成されている。
また、第１接続部５２Ａには、図３に示すように、Ｘ軸方向に沿って貫通し、位置決め用ネジ８が螺合される４つの位置決め用ネジ孔５２２Ａ〜５２２Ｄが形成されている。
なお、４つの位置決め用ネジ孔５２２Ａ〜５２２Ｄの機能については、後述する。
【００３２】
〔第２支持部材の構成〕
第２支持部材６は、第２プロジェクター２Ｄを支持する部材である。
この第２支持部材６は、図２または図３に示すように、第１支持部材５と略同様に、第２固定部６１と、一対の第２接続部６２Ａ，６２Ｂ（図２，図９参照）とを備える。
第２固定部６１は、第２プロジェクター２Ｄの底面２１Ｂに対して、Ｘ軸方向の寸法が若干大きく形成された矩形状の板体で構成されている。
そして、第２プロジェクター２Ｄ（底面２１Ｂ）は、第２固定部６１の板面（図２または図３中の上面）にネジ（図示略）により固定される。なお、詳細な説明は省略するが、第２固定部６１には、正置き設置される際に、床や机等の設置面に当接する複数の脚部６１１（図３）が設けられている。
【００３３】
一対の第２接続部６２Ａ，６２Ｂは、第２固定部６１におけるＸ軸方向に沿って互いに対向する各端縁にそれぞれ接続し、当該各端縁の一部から、図２または図３中、上方側に向けて垂設された板体で構成されている。
より具体的に、一対の第２接続部６２Ａ，６２Ｂは、図２または図３に示すように、一対の第１接続部５２Ａ，５２Ｂと同様に、ＹＺ平面に平行となる板体で構成されている。
そして、支持具４を組み立てた状態では、一対の第２接続部６２Ａ，６２Ｂは、一対の第１接続部５２Ａ，５２ＢをＸ軸方向の両側から挟む位置に位置付けられる。
【００３４】
なお、一対の第２接続部６２Ａ，６２Ｂは、同様の機能（後述するスリット６２１、挿通用孔６２２、４つの位置決め用挿通孔６２３Ａ〜６２３Ｄ）を有するものであるため、以下では、図２中、右側に位置する第２接続部６２Ａを主に説明する。
第２接続部６２Ａは、図３に示すように、平面視で略矩形形状を有する。
この第２接続部６２Ａには、スリット６２１と、挿通用孔６２２と、４つの位置決め用挿通孔６２３Ａ〜６２３Ｄとが形成されている。
【００３５】
図４は、図３の一部を拡大した図である。具体的に、図４は、第２接続部６２Ａにおけるスリット６２１及び挿通用孔６２２が形成された領域を拡大した図である。
スリット６２１は、図３または図４に示すように、第２接続部６２Ａにおける−Ｚ軸側の端縁６２４（第２接続部６２Ａの外縁）から、支持具４を組み立てた状態で、取付用孔５２１に対向する位置に向けて延びるように形成されている。
より具体的に、スリット６２１は、正置き設置の場合に、第２接続部６２Ａにおける−Ｚ軸側の端縁６２４から取付用孔５２１に対向する位置に向うにしたがって下方側に傾斜して直線状に延びるように形成されている。
【００３６】
なお、以下では、スリット６２１の各縁６２１Ａ，６２１Ｂのうち、正置き設置の場合に、下方側に位置する縁を下縁６２１Ａとし、上方側に位置する縁を上縁６２１Ｂとする（図３、図４）。
また、端縁６２４は、正置き設置におけるスリット６２１の下方側が上方側より−Ｚ軸側に突出する段付き形状を有する。
【００３７】
挿通用孔６２２は、図３または図４に示すように、Ｘ軸方向に沿って第２接続部６２Ａを貫通するとともにスリット６２１に連通する円孔で構成され、支持具４を組み立てた状態で取付用孔５２１に対向する位置に形成されている。
より具体的に、挿通用孔６２２は、以下に示す形状を有する。
ここで、挿通用孔６２２及びスリット６２１を平面的に見た場合に、下縁６２１Ａ及び上縁６２１Ｂをスリット６２１の延びる方向に沿って仮想的に延長した仮想線を仮想線ＶＬ１，ＶＬ２（図４）とする。また、各仮想線ＶＬ１，ＶＬ２で挟まれる領域を仮想領域ＶＡｒ（図４）とする。
【００３８】
そして、挿通用孔６２２は、挿通用孔６２２及びスリット６２１を平面的に見た場合に、図４に示すように、仮想領域ＶＡｒの外部に一部がはみ出た形状を有する。
また、本実施形態では、挿通用孔６２２は、挿通用孔６２２及びスリット６２１を平面的に見た場合に、円孔で構成された挿通用孔６２２の接線が下縁６２１Ａに一致するように形成されている。
なお、一対の第２接続部６２Ａ，６２Ｂに形成された各スリット６２１は、具体的な図示は省略したが、Ｘ軸方向に沿って互いに対向する位置に形成されている。一対の第２接続部６２Ａ，６２Ｂに形成された各挿通用孔６２２も同様である。
【００３９】
４つの位置決め用挿通孔６２３Ａ〜６２３Ｄは、図２または図３に示すように、Ｘ軸方向に沿って第２接続部６２Ａを貫通し、位置決め用ネジ８が挿通される孔である。
なお、４つの位置決め用挿通孔６２３Ａ〜６２３Ｄの機能については、後述する。
【００４０】
〔取付ネジの構成〕
図５は、取付ネジ７の構成を示す図である。
一対の取付ネジ７は、第１接続部５２Ａ，５２Ｂのそれぞれの取付用孔５２１に螺合され、締められることによって、第１接続部５２Ａ，５２Ｂとで第２接続部６２Ａ，６２Ｂをそれぞれ挟持可能に構成されている。
なお、一対の取付ネジ７は、同一の形状を有するため、以下では、１つの取付ネジ７のみを説明する。
取付ネジ７は、図５に示すように、軸部７１と、頭部７２と、テーパー部７３と、嵌合部７４とを備える。
【００４１】
軸部７１は、直線状に延びる円柱形状を有し、外周にネジ溝７１Ａが形成されている。
そして、軸部７１は、取付用孔５２１に螺合する。
なお、軸部７１の外径寸法は、スリット６２１の幅寸法（下縁６２１Ａ及び上縁６２１Ｂの離間寸法）よりも小さくなるように設定されている。また、軸部７１の先端には、止め輪（図示略）が組み込まれる溝７１Ｂが形成されており、取付ネジ７は、取付用孔５２１に螺合された後、溝７１Ｂに止め輪が組み込まれ、第１接続部５２Ａ，５２Ｂからの脱落防止が図られている。
頭部７２は、軸部７１の一端側に形成され、略円柱形状を有する。
なお、頭部７２の外径寸法は、軸部７１の外径寸法よりも大きく、挿通用孔６２２の内径寸法よりも大きくなるように設定されている。
【００４２】
嵌合部７４は、頭部７２における軸部７１側の端面に一体形成され、円柱形状を有する。
なお、嵌合部７４の外径寸法は、軸部７１の外径寸法よりも大きく、頭部７２の外径寸法よりも小さくなるように設定されている。また、嵌合部７４の外径寸法は、挿通用孔６２２の内径寸法と略同一となるように設定されている。
テーパー部７３は、軸部７１の外周と、嵌合部７４の外周とを接続する部分であり、軸部７１側から嵌合部７４側に向うにしたがって断面積が次第に大きくなる円錐台形状を有する。
なお、上述した軸部７１、頭部７２、嵌合部７４、及びテーパー部７３は、各中心線ＣＬ（図５）が一致するように一体形成されている。
【００４３】
〔支持具の組立方法〕
次に、第１支持部材５に第１プロジェクター２Ｕが固定され、第２支持部材６に第２プロジェクター２Ｄが固定された状態で、第２支持部材６に対して第１支持部材５を取り付ける支持具４の組立方法について説明する。
図６は、支持具４の組立方法を説明するフローチャートである。
なお、以下では、支持具４の組立方法として、正置き設置の場合、及び天吊り設置の場合を順に説明する。
【００４４】
〔正置き設置〕
図７ないし図９は、正置き設置の場合での支持具４の組立方法を説明する図である。具体的に、図７は、ステップＳ１，Ｓ２を説明するための図であり、第１プロジェクター２Ｕが固定された第１支持部材５と、第２プロジェクター２Ｄが固定された第２支持部材６とを分解した状態を側方から見た図である。図８は、ステップＳ２〜Ｓ４を説明するための図であり、第２接続部６２Ａ及び取付ネジ７を拡大した斜視図である。図９は、ステップＳ４が実施された後の状態を示す斜視図である。図１０は、ステップＳ５を説明するための図であり、支持具４が組み立てられた後の状態を側方から見た図である。
なお、第１，第２接続部５２Ａ，６２Ａと取付ネジ７との関係と、第１，第２接続部５２Ｂ，６２Ｂと取付ネジ７との関係とが同様の関係となるため、以下では、図７ないし図９を参照しつつ、第１，第２接続部５２Ａ，６２Ａと取付ネジ７との関係を主に説明する。
【００４５】
先ず、利用者は、図７に示すように、取付用孔５２１に対して取付ネジ７を緩めた状態で螺合しておく（ステップＳ１）。
ステップＳ１の後、利用者は、以下に示すように、取付ネジ７の軸部７１を第２接続部６２Ａ，６２Ｂにおけるスリット６２１の形成位置に合わせる（ステップＳ２）。
すなわち、利用者は、図７に示すように、第１プロジェクター２Ｕの天面２１Ａが底面２１Ｂに対して上方側に位置するように第１支持部材５を手で持つ。そして、利用者は、床等に設置された第２支持部材６（第２プロジェクター２Ｄ）の上方側から第１支持部材５を第２支持部材６に近付ける。
【００４６】
具体的に、利用者は、一対の第２接続部６２Ａ，６２Ｂ間に一対の第１接続部５２Ａ，５２Ｂが位置するように、第１支持部材５を第２支持部材６に近付ける。
そして、利用者は、取付ネジ７の軸部７１を第２接続部６２Ａ，６２Ｂにおける−Ｚ軸側の端縁６２４の段付き部分に当接させる。すなわち、軸部７１を−Ｚ軸側の端縁６２４の段付き部分に当接させることで、軸部７１は、図８（Ａ）に示すように、−Ｚ軸側の端縁６２４におけるスリット６２１の形成位置に位置付けられることとなる。
【００４７】
ステップＳ２の後、利用者は、挿通用孔６２２に対して取付用孔５２１が対向するまで、スリット６２１の傾斜方向に沿って上方側から下方側に向けて第１支持部材５（軸部７１）を移動させる。そして、利用者は、図８（Ｂ）に示すように、軸部７１を挿通用孔６２２内に位置付ける（ステップＳ３）。
ステップＳ３の後、利用者は、図８（Ｃ）に示すように、取付用孔５２１に対して取付ネジ７をさらに締め付ける（ステップＳ４）。
ステップＳ４において、取付用孔５２１に対して取付ネジ７をさらに締め付けると、挿通用孔６２２の内縁上でテーパー部７３が摺動しながら、取付用孔５２１に向けて取付ネジ７が移動し、結果として、挿通用孔６２２に嵌合部７４が嵌合し、第２接続部６２Ａ，６２Ｂは、頭部７２と第１接続部５２Ａ，５２Ｂとにそれぞれ挟持される。
そして、挿通用孔６２２に嵌合部７４が嵌合した状態では、挿通用孔６２２が円孔で構成され、嵌合部７４が円柱形状を有しているため、図９に示すように、一対の取付ネジ７をＸ軸に平行となる回転軸として、第２支持部材６に対して第１支持部材５が回転可能な状態となる。
【００４８】
ステップＳ４の後、利用者は、位置決め用ネジ孔５２２Ａ〜５２２Ｄ、位置決め用挿通孔６２３Ａ〜６２３Ｄ、及び位置決め用ネジ８を利用して、第２支持部材６に対する第１支持部材５の回転位置（第１プロジェクター２Ｕの投射位置）を調整する（ステップＳ５）。
例えば、利用者は、図１０に示すように、位置決め用挿通孔６２３Ａ（図９）に位置決め用ネジ８を挿通し、位置決め用ネジ孔５２２Ａ（図７）に位置決め用ネジ８を螺合する。
このように、位置決め用ネジ８を螺合することで、第２支持部材６に対する第１支持部材５の回転が規制される。
【００４９】
なお、本実施形態では、第２支持部材６に対する第１支持部材５の回転位置は、４段階で調整可能に構成されている。
すなわち、位置決め用ネジ孔５２２Ａ、位置決め用挿通孔６２３Ａを利用して位置決め用ネジ８を螺合した場合に、第１支持部材５が第１の回転位置に規定される。
同様に、位置決め用ネジ孔５２２Ｂ、位置決め用挿通孔６２３Ｂを利用した場合、位置決め用ネジ孔５２２Ｃ、位置決め用挿通孔６２３Ｃを利用した場合、及び位置決め用ネジ孔５２２Ｄ、位置決め用挿通孔６２３Ｄを利用した場合に、第１支持部材５は、第２〜第４の回転位置にそれぞれ規定される。
すなわち、位置決め用ネジ孔５２２Ａ〜５２２Ｄ及び位置決め用挿通孔６２３Ａ〜６２３Ｄは、第２支持部材６に対する第１支持部材５の回転位置（第１プロジェクター２Ｕの投射位置）を調整する機能を有する。
そして、第２支持部材６に対する第１支持部材５の回転位置は、第２プロジェクター２ＤからスクリーンＳｃ（図１）までの投射距離に対応した回転位置が選択されることで、スクリーンＳｃ上に投射される左目用画像と右目用画像とが重ね合わせ易いように設定されている。
【００５０】
〔天吊り設置〕
図１１及び図１２は、天吊り設置の場合での支持具４の組立方法を説明する図である。具体的に、図１１は、ステップＳ１，Ｓ２を説明するための図であり、第１プロジェクター２Ｕが固定された第１支持部材５と、第２プロジェクター２Ｄが固定された第２支持部材６とを分解した状態を側方から見た図である。図１２は、ステップＳ２〜Ｓ４を説明するための図であり、第２接続部６２Ａ及び取付ネジ７を拡大した斜視図である。
なお、天吊り設置の場合での支持具４の組立方法は、正置き設置の場合での支持具４の組立方法と略同様であるため、以下では、異なる点のみを説明する。
【００５１】
天吊り設置では、利用者は、ステップＳ２を以下に示すように実施する。
すなわち、利用者は、図１１に示すように、第１プロジェクター２Ｕの天面２１Ａが底面２１Ｂに対して下方側に位置するように第１支持部材５を手で持つ。
また、利用者は、天井等に吊下げられた第２支持部材６（第２プロジェクター２Ｄ）の下方側から第１支持部材５を第２支持部材６に近付け、一対の第２接続部６２Ａ，６２Ｂ間に一対の第１接続部５２Ａ，５２Ｂを位置付ける。
そして、利用者は、図１２（Ａ）に示すように、正置き設置の場合と同様に、取付ネジ７の軸部７１を第２接続部６２Ａ，６２Ｂにおける−Ｚ軸側の端縁６２４の段付き部分に当接させる。
【００５２】
また、天吊り設置では、利用者は、ステップＳ３を以下に示すように実施する。
すなわち、利用者は、挿通用孔６２２に対して取付用孔５２１が対向するまで、スリット６２１の傾斜方向に沿って下方側から上方側に向けて第１支持部材５（軸部７１）を移動させる。そして、利用者は、図１２（Ｂ）に示すように、軸部７１を挿通用孔６２２内に位置付ける。
そして、利用者は、ステップＳ４において、図１２（Ｃ）に示すように、取付用孔５２１に対して取付ネジ７をさらに締め付けることで、正置き設置の場合と同様に、挿通用孔６２２に嵌合部７４が嵌合し、第２接続部６２Ａ，６２Ｂは、頭部７２と第１接続部５２Ａ，５２Ｂとにそれぞれ挟持されることとなる。
【００５３】
上述した本実施形態によれば、以下に示す効果がある。
本実施形態では、支持具４は、第１，第２支持部材５，６及び取付ネジ７を備える。
このことにより、第１，第２プロジェクター２Ｕ，２Ｄを第１，第２固定部５１，６１に固定し、第１，第２接続部５２Ａ，６２Ａ同士（第１，第２接続部５２Ｂ，６２Ｂ同士）を取付ネジ７にて固定すれば、取付ネジ７の頭部７２と第１接続部５２Ａ，５２Ｂとで第２接続部６２Ａ，６２Ｂを挟持し、第１，第２プロジェクター２Ｕ，２Ｄ間の相対的な位置関係を容易に規定できる。
したがって、第１，第２プロジェクター２Ｕ，２Ｄを備えたプロジェクションシステム１を構築する際に、支持具４を用いることで、プロジェクションシステム１を容易に構築することができる。
【００５４】
また、第２接続部６２Ａ，６２Ｂには、挿通用孔６２２及びスリット６２１が形成され、取付ネジ７には、テーパー部７３が設けられている。
このことにより、ステップＳ１〜Ｓ５により、取付用孔５２１に対して取付ネジ７を予め取り付けた状態で、第２支持部材６に対して第１支持部材５を取り付けることができるので、支持具４を容易に組み立てることができる。
そして、テーパー部７３により、第２支持部材６に対する所望の位置に第１支持部材５を位置付けることができ、第１，第２プロジェクター２Ｕ，２Ｄ間の相対的な位置関係を良好に規定することができる。
【００５５】
さらに、取付ネジ７は、嵌合部７４を備える。
すなわち、ステップＳ４により、取付用孔５２１に対して取付ネジ７をさらに締め付けることで、挿通用孔６２２に嵌合部７４を嵌合させることができる。
そして、挿通用孔６２２に嵌合部７４が嵌合した状態で、第２支持部材６に対して第１支持部材５が取り付けられるので、第２支持部材６に対して第１支持部材５ががたつくことがなく、第２支持部材６に対する第１支持部材５の取付状態を安定化させることができる。
また、第１，第２接続部５２Ａ，５２Ｂ，６２Ａ，６２Ｂは、それぞれ一対設けられているので、第１，第２固定部５１，６１の両側で第２支持部材６に対して第１支持部材５を取り付けることができる。このため、第２支持部材６に対する第１支持部材５の取付状態をさらに安定化させることができる。
【００５６】
さらに、挿通用孔６２２は、正置き設置の場合において、挿通用孔６２２及びスリット６２１を平面的に見た場合に、仮想領域ＶＡｒの上方側に一部がはみ出た形状を有する。また、スリット６２１は、正置き設置の場合に、−Ｚ軸側の端縁６２４から取付用孔５２１に対向する位置に向うにしたがって下方側に傾斜した形状を有する。
このことにより、正置き設置の場合には、ステップＳ３により軸部７１を挿通用孔６２２内に位置付けると、スリット６２１が第２接続部６２Ａ，６２Ｂの端縁６４から取付用孔５２１に対向する位置に向うにしたがって下方側に傾斜しているので、第１支持部材５及び第１プロジェクター２Ｕの自重により、挿通用孔６２２内からスリット６２１内への軸部７１（第１支持部材５）の移動を規制することができる。
一方、天吊り設置の場合には、挿通用孔６２２は、正置き設置の場合とは逆に、仮想領域ＶＡｒの下方側に一部がはみ出た形状を有することとなるので、ステップＳ３により軸部７１を挿通用孔６２２内に位置付けると、第１支持部材５及び第１プロジェクター２Ｕの自重により、挿通用孔６２２内からスリット６２１内への軸部７１（第１支持部材５）の移動を規制することができる。
したがって、正置き設置及び天吊り設置の双方の場合において、ステップＳ３により軸部７１（取付ネジ７）を一旦、挿通用孔６２２内に位置付ければ第１支持部材５の移動を規制できるので、利用者は、軸部７１が挿通用孔６２２内に位置した状態を維持するように力を加える必要がない。すなわち、支持具４をさらに容易に組み立てることができる。
【００５７】
また、スリット６２１の傾斜方向が上述したように設定されているので、利用者は、ステップＳ３によりスリット６２１に沿って軸部７１（第１支持部材５）を移動させる際には、第２支持部材６が位置する方向に第１支持部材５を移動させることができる。
すなわち、正置き設置の場合には、第２支持部材６は、床等の下方側に設置されている。
そして、スリット６２１の傾斜方向が上述したように設定されているので、利用者は、ステップＳ３において、下方側に位置する第２支持部材６に向けて、スリット６２１に沿って上方側から下方側に向けて第１支持部材５を移動させることができる。
また、天吊り設置の場合には、第２支持部材６は、天井等の上方側に設置されている。
そして、スリット６２１の傾斜方向が上述したように設定されているので、利用者は、ステップＳ３において、上方側に位置する第２支持部材６に向けて、スリット６２１に沿って下方側から上方側に向けて第１支持部材５を移動させることができる。
したがって、正置き設置及び天吊り設置の双方において、第２支持部材６に対する第１支持部材５の組み込み（ステップＳ３）を容易に実施できる。
【００５８】
さらに、挿通用孔６２２は、挿通用孔６２２及びスリット６２１を平面的に見た場合に、円孔で構成された挿通用孔６２２の接線が下縁６２１Ａに一致するように形成されている。
このことにより、上述したように形成された挿通用孔６２２は、仮想領域ＶＡｒを挟む両側にそれぞれはみ出た部分を有するように挿通用孔６２２を形成した場合と比較して、仮想領域ＶＡｒの外側にはみ出た部分の領域を大きく設定できる。
したがって、天吊り設置の場合において、ステップＳ３により軸部７１を挿通用孔６２２内に位置付けた際に、挿通用孔６２２における仮想領域ＶＡｒの外側にはみ出た部分により、挿通用孔６２２内からスリット６２１内への軸部７１の移動をより確実に規制することができる。
【００５９】
なお、本発明は前述の実施形態に限定されるものではなく、本発明の目的を達成できる範囲での変形、改良等は本発明に含まれるものである。
前記実施形態では、第１プロジェクター２Ｕから左目用画像を第１直線偏光で投射させ、第２プロジェクター２Ｄから右目用画像を第２直線偏光で投射させ、すなわち、第１，第２直線偏光を利用して、投射画像ＰＦを立体視させていたが、これに限らない。
例えば、左回りの円偏光、及び右回りの円偏光を利用して投射画像を立体視させる構成を採用しても構わない。
このように構成した場合には、偏光眼鏡３も上記構成に対応させて、左目用透過部３１が左回りの円偏光及び右回りの円偏光の一方のみを透過させ、右目用透過部３２が他方のみを透過させる構成とする。
【００６０】
前記実施形態では、プロジェクションシステム１は、３Ｄプロジェクションシステムで構成されていたが、これに限らず、偏光眼鏡３を省略し、第１，第２プロジェクター２Ｕ，２Ｄから同一の画像を投射させる構成としても構わない。
【００６１】
前記実施形態では、挿通用孔６２２は、当該挿通用孔６２２及びスリット６２１を平面的に見て、仮想領域ＶＡｒを挟む両側のうち片側のみにはみ出た部分を有するように形成されていたが、これに限らず、両側にそれぞれはみ出た部分を有するように形成しても構わない。
前記実施形態では、第１，第２固定部５１，６１は、第１，第２プロジェクター２Ｕ，２Ｄの各底面２１Ｂが固定されるように構成されていたが、これに限らない。
例えば、本発明に係る第１，第２固定部としては、第１，第２プロジェクター２Ｕ，２Ｄの各天面２１Ａ、背面２１Ｄ、あるいは、側面２１Ｅ，２１Ｆが固定されるように構成しても構わない。
【００６２】
前記実施形態では、第１，第２接続部５２Ａ，５２Ｂ，６２Ａ，６２Ｂは、第２プロジェクター２Ｄの左右側面側に位置するように構成されていたが、これに限らず、その他の位置、例えば、第２プロジェクター２Ｄの背面側に位置するように構成しても構わない。
前記実施形態では、支持具４により、正置き設置の場合に、第１プロジェクター２Ｕが第２プロジェクター２Ｄの上方側に位置するように構成されていたが、第１，第２プロジェクター２Ｕ，２Ｄの位置関係がその他の位置関係となるように支持具４を構成しても構わない。
【００６３】
前記実施形態では、支持具４は、スリット６２１が形成された第２支持部材６に、取付ネジ７が螺合された第１支持部材５を組み込むように構成されているが、取付ネジ７が螺合された第１支持部材５に第２支持部材６を組み込むように構成してもよい。つまり、正置き設置において、第１プロジェクター２Ｕの上方側に第２プロジェクター２Ｄが支持されるように構成しても構わない。そして、第１支持部材５を天井等に設置できるように構成してもよい。
【産業上の利用可能性】
【００６４】
本発明は、第１，第２プロジェクターを備えたプロジェクションシステムに利用できる。
【符号の説明】
【００６５】
１・・・プロジェクションシステム、２Ｕ・・・第１プロジェクター、２Ｄ・・・第２プロジェクター、４・・・支持具、５・・・第１支持部材、６・・・第２支持部材、７・・・取付ネジ、２１Ａ・・・天面、２１Ｂ・・・底面、５１・・・第１固定部、５２Ａ，５２Ｂ・・・第１接続部、６１・・・第２固定部、６２Ａ，６２Ｂ・・・第２接続部、７１・・・軸部、７１Ａ・・・ネジ溝、７２・・・頭部、７３・・・テーパー部、７４・・・嵌合部、５２１・・・取付用孔、６２１・・・スリット、６２１Ａ・・・下縁、６２１Ｂ・・・上縁、６２２・・・挿通用孔、ＶＡｒ・・・仮想領域。
【図１】
0006007557.tif 000002
【図２】
0006007557.tif 000003
【図３】
0006007557.tif 000004
【図４】
0006007557.tif 000005
【図５】
0006007557.tif 000006
【図６】
0006007557.tif 000007
【図７】
0006007557.tif 000008
【図８】
0006007557.tif 000009
【図９】
0006007557.tif 000010
【図１０】
0006007557.tif 000011
【図１１】
0006007557.tif 000012
【図１２】
0006007557.tif 000013